(57)【特許請求の範囲】
【請求項１】
壁面又は床に仕上げパネルを設けられるように前記壁面又は床に固設される支持フレームに嵌合されるベースと、
前記ベースの一側に結合され、他の側は前記仕上げパネルを把持できるように形成された把持クリップと、を備え、
前記ベースは、
前記把持クリップを上部から下部へ挿装できるように上下を貫通する取付穴が設けられた取付プレートと、
前記把持クリップが前記取付プレートの下方へ引き出されることを防止するように、前記取付プレートの下方に結合されて前記把持クリップを支持する補強プレートと、
を備えることを特徴とする仕上げパネル固定装置。
【請求項２】
前記取付プレートには、前記把持クリップが前記取付プレートの上方へ引き出されることを防止するように、前記取付穴周辺の前記取付プレートの上面から上方へ傾斜して延びて前記把持クリップに干渉される引出防止突起が形成されることを特徴とする請求項１に記載の仕上げパネル固定装置。
【請求項３】
前記取付プレートには、前記把持クリップが前記取付プレートの上方へ引き出されることを防止するように、前記取付穴の周辺の前記取付プレートの底面から上方へ引き込まれて前記把持クリップの一部分が進入される引出防止溝が形成されることを特徴とする請求項１に記載の仕上げパネル固定装置。
【請求項４】
前記ベースは、前記補強プレートと前記取付プレートとを互いに結合させるための嵌合部をさらに備え、
前記嵌合部は前記補強プレートの上面から上方へ突出する複数の嵌合突起と、該嵌合突起が通過できるように前記取付プレートを上下に貫通する嵌合穴と、を含むことを特徴とする請求項１に記載の仕上げパネル固定装置。
【請求項５】
前記ベースは、前記把持クリップの下方において前記把持クリップを弾性支持する弾性部をさらに備えることを特徴とする請求項１に記載の仕上げパネル固定装置。
【請求項６】
前記弾性部は、前記把持クリップの下方の前記補強プレートの一部分を切開し、上方へ折り曲げて形成した弾性片を含むことを特徴とする請求項５に記載の仕上げパネル固定装置。
【請求項７】
前記弾性部は、外力が働く場合外形が変形され、外力が除去されれば元の状態に復帰する弾性体を含むことを特徴とする請求項５に記載の仕上げパネル固定装置。
【発明の詳細な説明】
【技術分野】
【０００１】
本発明は仕上げパネル固定装置に係り、さらに詳しくは屋内外の壁面又は床の仕上げをするために仕上げパネルを取り付ける際、仕上げパネルを安定的、かつ、簡便に取り付けられる仕上げパネル固定装置に関する。
【背景技術】
【０００２】
一般に、建築物の壁体において外部に露出される箇所には外観を美しく装飾できるように壁構造体の表面に仕上げ工事を施すようになる。こうした壁仕上げ工事において、従来から多様な方式の仕上げが知られて施されており、最近は天然石材、人造石、金属板材、合成樹脂板材、木板などのように、一定サイズの四角パネル状の仕上げパネルを建築物の壁体に連続して取り付けて施工する方式が建築物の壁体の仕上げ方式として幅広く施されている傾向である。
【０００３】
従来の仕上げパネルの相互組み立て及び取り外し、それから壁体構造物との取付のための技術の一例として、韓国特許公開第１０-２００５-０１０４１１７号には「建築物の装飾パネルの施工構造及びその施工方法」が開示されている。
【０００４】
かかる建築物の装飾パネルの施工構造及びその施工方法は、壁に設けられて壁と装飾パネルとの間隔を調節できるパネル固定装置、装飾パネルが設けられるパネル固定装置の前面に形成され上側部が開放された係止溝、それから装飾パネルの背面に設けられ係止溝に係止されれば装飾パネルを動きを抑えるようにする係止金具とを含めて構成される。
【０００５】
前述した従来の施工構造及びその施工方法は、施工された装飾パネルのなす壁面が凹凸がなく滑らかになるようにしているが、施工したい装飾パネルの数ほど壁に固定アングルを設けるべきであり、また固定アングルに固定ブラケットを一々ボルトとナットを使用して組み立てすべきであり、また固定ブラケットに装飾パネルをボルトとナットとを使用して組み立てしなければならないなど、組み立て過程が複雑であるから組み立て及び取り外しに長時間かかって実効性に欠ける問題がある。
【０００６】
かかる問題点を解決するために、韓国特許公開第１０-２００９-００５３６６１号には「壁体構造」が開示されているところ、これによれば、壁体コンクリートに固定され、複数の横バーと複数の縦バーとが一体に形成された固定フレーム、固定フレームの横バーと縦バーに配置されて壁体コンクリートを仕上げて平面のプレートと該プレートからプレートの後方へ向けて折り曲げられた弾性片を含む仕上げパネル、固定フレームと仕上げパネルのうちいずれか一つには被係止手段が備えられ、他の一つには被係止手段に係合する係止手段が備わってなされた構成である。
【０００７】
これは、組み立て及び取り外しが簡単な長所があるものの、各仕上げパネルのための被係止手段が固定フレームに各々設けられているべきであり、特に被係止手段によって前記固定フレームに仕上げパネルが装着された状態で仕上げパネルが固定されていないことから、外部要因によって固定フレームの被係止手段から仕上げパネルが離脱しやすくなるなどの問題がある。
【発明の概要】
【発明が解決しようとする課題】
【０００８】
本発明は、前述した事情に鑑みて案出されたもので、本発明の目的とするところは、組立過程が極めて簡便であるから組み立て及び取り外し時間を短縮することができ、外力による仕上げパネルの動きを抑えるように仕上げパネルに対する固定力を高めてメンテナンスを容易にする仕上げパネル固定装置を提供することである。
【課題を解決するための手段】
【０００９】
前述したような本発明に係る仕上げパネル固定装置は、壁面又は床に仕上げパネルを設けられるように前記壁面又は床に固設される支持フレームに結合されるベースと、該ベースに一側が結合され、他の側は前記仕上げパネルを把持できるように形成された把持クリップとを備える。
【００１０】
前記ベースは前記把持クリップを下部から上部へ挿装できるように上下を貫通する取付穴が設けられた取付プレートと、前記把持クリップが前記取付プレートの下方に引き出されることを防止するように前記取付プレートの下方に結合され前記把持クリップを支持する補強プレートと、を備える。
【００１１】
そして、前記取付プレートには、前記把持クリップが前記取付プレートの上方へ引き出されることを防止するように、前記取付穴付近の前記取付プレートの上面から上方へ傾斜して延びて前記把持クリップに干渉される引出防止突起が形成されることもできる。
【００１２】
また、前記取付プレートには、前記把持クリップが前記取付プレートの上方へ引き出されることを防止するように前記取付穴付近の前記取付プレートの底面から上方へ引き込まれて前記把持クリップの一部分が進入される引出防止溝が形成されうる。
【００１３】
一方、前記ベースは前記補強プレートと前記取付プレートを互いに結合させるための嵌合部をさらに備え、前記嵌合部は前記補強プレートの上面から上方へ突出する複数の嵌合突起と、該嵌合突起が通過できるように前記取付プレートを上下に貫通する嵌合穴とを含めて構成される。
【００１４】
また、前記ベースは前記把持クリップの下方で前記把持クリップを弾性支持する弾性部をさらに備えることができる。
【００１５】
一例として、前記弾性部は、前記把持クリップの下方の前記補強プレートの一部分を切開し、上方へ折り曲げて形成した弾性片を含めて構成できる。
【００１６】
他の例として、前記弾性部は外力が働くと外形が変形され、該外力が除去されれば元の状態に復帰する弾性体を含めて構成することもできる。
【００１７】
一方、前記把持クリップは複数個であり、互いに隣接して配置され、前記ベースと直交するように前記ベース上に垂設され、互いに直交するように折り曲げられた第１垂直部及び第２垂直部と、前記第１垂直部と前記第２垂直部の上部から各々前記第１垂直部と前記第２垂直部から遠ざかるよう延びて、前記仕上げパネルのスカート部の側面を加圧する第１加圧リブ及び第２加圧リブと、前記第１垂直部と前記第２垂直部の下部から各々前記第１垂直部と前記第１垂直部から遠ざかるよう延びて、前記ベースに密着して支持される第１水平部及び第２水平部とを含めて構成できる。
【００１８】
また、前記ベースに前記把持クリップを固定するための固定部をさらに備え、該固定部は前記ベースと前記第１水平部又は第２水平部を貫通して締結される締結部材を含めて構成することもできる。
【発明の効果】
【００１９】
以上説明したように本発明によれば、組み立て及び取付が極めて簡便であるから組み立て、取付及び取り外しの時間を短縮することができ、外力による仕上げパネルの動きを防止するように仕上げパネルに対する固定力を向上することによって外壁の仕上げにも適用でき、メンテナンスを容易にする長所がある。
【図面の簡単な説明】
【００２０】
【図１】図１は、本発明の一の実施形態に係る仕上げパネル固定装置が壁面仕上げに使われる例を示した分離斜視図である。
【図２】図２は、図１に示された仕上げパネル固定装置の斜視図である。
【図３】図３は、図２に示された仕上げパネル固定装置の分離斜視図である。
【図４】図４は、図２に示された仕上げパネル固定装置の断面図である。
【図５】図５は、図２に示された仕上げパネル固定装置の断面図である。
【図６】図６は、本発明に係る仕上げパネル固定装置の他の例を示した断面図である。
【図７】図７は、弾性部の一の実施形態を示した断面図である。
【図８】図８は、図７に示された弾性部の動作を示した断面図である。
【図９】図９は、弾性部の他の実施形態を示した断面図である。
【図１０】図１０は、図９に示された弾性部の動作を示した断面図である。
【図１１】図１１は、本発明に係る仕上げパネル固定装置が床の仕上げに使われる例を示した断面図である。
【図１２】図１２は、本発明に係る仕上げパネル固定装置の他の実施形態を示した斜視図である。
【図１３】図１３は、図１２に示された仕上げパネル固定装置の断面図である。
【発明を実施するための形態】
【００２１】
以下、添付した図面を参照しながら本発明の好ましい一の実施形態に係る仕上げパネル固定装置について詳述する。
【００２２】
図１ないし図５及び図１１には本発明の一の実施形態に係る仕上げパネル固定装置１が示されている。図１ないし図５及び図１１を参照すれば、本発明の一の実施形態に係る固定装置はベース１００と把持クリップ２００とを備える。
【００２３】
前記ベース１００は、図１ないし図５、図１１に示したように、壁面５又は床６に仕上げパネル３を取り付けられるように、壁面５又は床６に固設される支持フレーム７に着脱自在に結合されるものであって、取付プレート１１０と補強プレート１２０とを備える。
【００２４】
前記ベース１００は、支持フレーム７の長手方向の両側から内側に挿入して設けることができ、これとは違って、一面に形成された開口部側に進ませてから一定角度回転させて設けることもできる。
【００２５】
前記取付プレート１１０は、所定の厚みを有し、上面と底面が平らな四角板状に形成され、縁角部が緩やかにラウンド処理されている。
【００２６】
そして、前記取付プレート１１０には後述する把持クリップ２００を下部から上部へ挿入して装着できるように取付プレート１１０の上面と底面とを貫通する複数の取付穴１１１が設けられる。前記取付穴１１１は長方形に形成され、その内周面は示したように取付プレート１１０の上面と底面に各々直交するように垂直方向に形成される。
【００２７】
なお、前記取付穴１１１の内周面は、図６に示したように、後述する把持クリップ２００の加圧リブ２２０の外周面と接するように上部に行くほどその幅が次第に狭くなるよう形成され、加圧リブ２２０がなす傾斜と対応する傾斜で形成されるのが好ましい。
【００２８】
また、前記取付プレート１１０には取付穴１１１の周辺に後述する補強プレート１２０との結合のための複数の嵌合穴１１２と、固定ボルト又は固定ピースなどを通じて支持フレーム７に固定させるための複数の第１固定穴１１３が互いに離隔して形成される。
【００２９】
そして、前記取付プレート１１０には、把持クリップ２００が取付プレート１１０の上方へ引き出されることを防止する引出防止突起１１４がさらに形成される。前記引出防止突起１１４は取付穴１１１付近の取付プレート１１０の上面から上方へ傾斜して延びて、把持クリップ２００の加圧リブ２２０に干渉される。
【００３０】
また、前記取付プレート１１０には把持クリップ２００が取付プレート１１０の上方へ引き出されることを防止する引出防止溝１１５がさらに形成される。前記引出防止溝１１５は、取付穴１１１付近の取付プレート１１０の底面から上方へ一定深さ引き込まれて把持クリップ２００の一部分、詳細には把持クリップ２００の係止突起が進入できるように形成される。引出防止溝１１５に進入された把持クリップ２００の係止突起は、取付プレート１１０によって取付プレート１１０の上側へ動くことが防止される。
【００３１】
前記補強プレート１２０は取付プレート１１０の取付穴１１１に取り付けられた把持クリップ２００が取付プレート１１０の下方に引き出されることを防止するよう取付プレート１１０の下方に結合されて把持クリップ２００を支持するものであって、取付プレート１１０の外形と対応するように所定の厚みを有し、上面と底面が平らな四角板状に形成され、縁角部が緩やかにラウンド処理される。
【００３２】
そして、前記補強プレート１２０には、取付プレート１１０の嵌合穴１１２と各々対応する位置に嵌合突起１２２が備えられており、第１固定穴１１３と各々対応する位置には固定ボルト又は固定ピースなどが通過できるように第２固定穴１２３が形成される。
【００３３】
前記把持クリップ２００はベース１００の一側に結合され、他の側は仕上げパネル３を把持できるように形成されたもので、本実施形態においては取付板２１０と加圧リブ２２０を含めて構成される。
【００３４】
前記取付板２１０は取付穴１１１と対応するサイズ及び形状に形成され、一側がさらに長い長方形に形成され、取付プレート１１０より薄いか対応する厚さみ形成される。
【００３５】
そして、前記加圧リブ２２０は取付板２１０の幅方向の両側の端部から各々取付板２１０から遠ざかるよう所定長さ延び、端部が互いに近づく方向に傾斜して形成され、その端部には仕上げパネル３のスカート部３ａが加圧リブ２２０の間へ容易に進入できるように互いに遠ざかる方向に折り曲げられた折曲部が形成される。
【００３６】
そして、本発明に係る仕上げパネル固定装置１のベース１００は、補強プレート１２０と取付プレート１１０を互いに結合させるための嵌合部をさらに備える。
【００３７】
前記嵌合部は、補強プレート１２０の上面から上方へ突出する複数の嵌合突起１２２と、嵌合突起１２２が通過できるように取付プレート１１０を上下に貫通する嵌合穴１１２を含めて構成される。前記嵌合突起１２２は、取付プレート１１０の厚みより長く形成することによって、嵌合穴１１２を通過させた後一側に折り曲げることによって取付プレート１１０を補強プレート１２０にしっかり結合することもできる。
【００３８】
前記嵌合部の一例として、嵌合突起１２２と嵌合穴１１２の構造を適用したが、これとは違って、リベット部材や固定ボルト又は固定ピースなどを用いて互いを結合することもできるのは勿論である。
【００３９】
一方、本発明に係る仕上げパネル固定装置１は、図６に示したように、引出防止突起１１４を省き、取付穴１１１の内周面を加圧リブ２２０の傾斜度と対応する傾斜度を有するように形成することで、取付穴１１１によって把持クリップ２００が取付プレート１１０の上方へ引き出されることを防止することもできる。
【００４０】
また、本発明に係る仕上げパネル固定装置１のベース１００は、図７ないし図１０に示したように、把持クリップ２００の下方から把持クリップ２００を上方へ弾性的に支持する弾性部１３０及び補強プレート１２０に対して取付プレート１１０を所定間隔隔てて支持する凸部１４０をさらに備えることもできる。
【００４１】
前記弾性部１３０の一例として、図７及び図８には把持クリップ２００の下方の補強プレート１２０の一部を切開し、該切開された部分を上方へ一定角度折り曲げて形成した弾性片１３１を適用することができる。前記弾性片１３１は上方に折り曲げ又は撓んで形成され、補強プレート１２０と連結された一側端部を基準にして他の側の端部が上下に振動できるようになる。
【００４２】
そして、前記凸部１４０は、補強プレート１２０の一部が下方から上方へ膨らんだ状態で形成され、その上面は取付プレート１１０の底面が密着できるように平らに形成される。そして、凸部１４０の上面には前述したような嵌合突起１２２が形成されうる。
【００４３】
かかる構造は、図８に示したように仕上げパネル３のスカート部３ａを把持クリップ２００の加圧リブ２２０の間へ進ませる際、加圧リブ２２０の外周面と引出防止突起１１４が接する加圧リブ２２０の局部に力が集中しつつ加圧リブ２２０が撓むことを防止できる。
【００４４】
すなわち、凸部１４０は、取付プレート１１０と補強プレート１２０との間に加圧リブ２２０が補強プレート１２０側へ後退可能な空間部を提供し、後退してきた把持クリップ２００は加圧リブ２２０が引出防止突起１１４と接しない状態になりつつ、引出防止突起１１４に干渉されず自然に広まるようになる。
【００４５】
また、弾性部１３０は、把持クリップ２００が後退する際は下方に撓んでいてから仕上げパネル３のスカート部３ａが加圧リブ２２０の間に完全に進入された後は弾性によって把持クリップ２００を取付プレート１１０方向に加圧することによって把持クリップ２００を元の位置、すなわち取付穴１１１の内部に復帰させるのみならず、取付穴１１１の内部に引き続き位置させることによって、把持クリップ２００の加圧リブ２２０が広がらないようにする。
【００４６】
前記弾性部１３０は、図９及び図１０に示したように、外力が働くと外形が変形され、外力が除去されれば元の状態に復帰するパッド状の弾性体１３２を含めて構成できる。前記弾性体１３２は仕上げパネル３のスカート部３ａを把持クリップ２００の加圧リブ２２０の間に進入させる際は後退される把持クリップ２００によって体積が縮まってから、仕上げパネル３のスカート部３ａが加圧リブ２２０の間に完全に進入した後は弾性によって体積が拡張、すなわち元の状態に復帰しつつ把持クリップ２００を取付プレート１００方向に加圧できる高弾性の素材を適用するのが望ましい。
【００４７】
一方、図１２及び図１３には本発明の他の実施形態に係る仕上げパネル固定装置２が示されている。図１２及び図１３を参照すれば、本実施形態に係る仕上げパネル固定装置２はベース１００と把持クリップ３００及び固定部とを備える。
【００４８】
前記把持クリップ３００は、一定面積を有する平板を一部切開し折り曲げて形成したもので、複数枚よりなり、ベース１００に４方向に互いに隣接して配置される。
【００４９】
前記把持クリップ３００はベース１００と直交するようにベース１００上に垂設され、互いに直交するように折り曲げられた第１垂直部３１１及び第２垂直部３１２と、第１垂直部３１１と第２垂直部３１２の上端から各々第１垂直部３１１と第２垂直部３１２から遠ざかるように延びて仕上げパネル３のスカート部３ａの側面を加圧する第１加圧リブ３２１及び第２加圧リブ３２２と、第１垂直部３１１と第２垂直部３１２の下端から各々第１垂直部３１１と第２垂直部３１２から遠ざかるよう延びて、ベース１００に密着して支持される第１水平部３３１及び第２水平部３３２を含む。
【００５０】
一側の把持クリップ３００の第１加圧リブ３２１は、隣接する他の側の把持クリップ３００の第２加圧リブ３２２と向かい合うように配置されており、一側の把持クリップ３００の第２加圧リブ３２２は隣接する他の把持クリップ３００の第１加圧リブ３２１と向かい合うように配置されて、仕上げパネル３のスカート部３ａの両側面を各々加圧して把持するようになっている。すなわち、把持クリップ３００だけでは仕上げパネル３のスカート部３ａを把持することができず、隣接する把持クリップ３００と共にしてこそ把持できるようになるものである。
【００５１】
前記第１加圧リブ３２１と第２加圧リブ３２２は、各々第１垂直部３１１と第２垂直部３１２から多数回折り曲げられた構造を適用したが、これとは違って、曲線状に曲がって形成できることは勿論である。
【００５２】
前記固定部はベース１００に把持クリップ３００を固定させるためのものであって、ベース１００と第１水平部３３１又は第２水平部３３２を貫通して締結される締結部材４１０を含む。前記締結部材４１０はリベットや固定ボルト又は固定ピースを適用でき、本実施形態においては上部と下部が平らなリベット部材を適用する。
【００５３】
一方、本発明に係る仕上げパネル固定装置は、示したように４つの把持クリップを各々直交する４方向に配置して、隣接する４つの仕上げパネルを固定できるようになるものを適用したが、かかる構造に限定されない。一例として、本発明に係る仕上げパネル固定装置は、現場の状況に合わせて一つのベースに一つの把持クリップを設けるか、一つのベースに２つの把持クリップを互いに直交する方向に、あるいは互いに並んだ方向に設けることができ、１つのベースに３つの把持クリップを互いに直交する方向に設けることもできる。
【００５４】
また、本発明に係る仕上げパネル固定装置のベースは、設置スペースの制約によって、図示した例のような四角形に一定部分を切断した構造も適用可能である。すなわち、１つのベースに４つの把持クリップを装着した状態でベースを一定方向に切断して１つのベースに３つの把持クリップが取り付けられた箇所と、１つのベースに１つの把持クリップが取り付けられた箇所とに分離して使用できることは勿論である。
【００５５】
以上、添付図面を参照しながら本発明の好適な実施形態について説明したが、本発明はかかる例に限定されない。本発明の属する技術の分野における通常の知識を有する者であれば、特許請求の範囲に記載された技術的思想の範疇内において、各種の変更例又は修正例に想到しうることは明らかであり、これについても、当然に本発明の技術的範囲に属するものと了解される。
【図１】
0006833097.tif 000002
【図２】
0006833097.tif 000003
【図３】
0006833097.tif 000004
【図４】
0006833097.tif 000005
【図５】
0006833097.tif 000006
【図６】
0006833097.tif 000007
【図７】
0006833097.tif 000008
【図８】
0006833097.tif 000009
【図９】
0006833097.tif 000010
【図１０】
0006833097.tif 000011
【図１１】
0006833097.tif 000012
【図１２】
0006833097.tif 000013
【図１３】
0006833097.tif 000014